(57)【要約】  【課題】  プライバシーを守りつつ動画等のメイン情報を記録した情報抱持体（写真付きシール等）から、その情報を読み取り可能な携帯機、及び、この携帯機を利用した情報システムを提供する。  【解決手段】  携帯電話１は、シール３から暗号化されたメイン情報と、ＩＰアドレスを受信し、ＩＰアドレスに対応した暗号情報に基づいてそのメイン情報を複合化して出力している。そのため、この携帯電話１が、ＩＰアドレスに対応した暗号情報を有しない場合、動画情報を出力することはできない。従って、この携帯電話１を用いると、シール３に記録されたメイン情報のプライバシーを守りつつ動画情報を記録したシール３から、その情報を読み取ることができ、例えば、シール３を交換する遊びをする場合、より趣向性に富んだ遊びをすることができる。【選択図】  図７
2006279265.tif 000002
【特許請求の範囲】
【請求項１】
問合情報及び暗号化されたメイン情報を記憶する情報抱持体から前記問合情報及び前記メイン情報を無線で受信する受信手段と
この受信手段で受信した前記問合情報に対応した前記暗号情報に基づいて前記メイン情報を複合化する複合化手段と、
この複合化手段において複合化された前記メイン情報に基づいて出力を行う出力手段と、
を備えることを特徴とする携帯機。
【請求項２】
請求項１記載の携帯機において、
操作者の操作に基づいて照会情報を生成する生成手段を備え、
前記複合化手段は、前記問合情報及び前記照会情報に対応した前記暗号情報に基づいて前記メイン情報を複合化することを特徴とする携帯機。
【請求項３】
請求項１〜２のいずれかに記載の携帯機において、
他の携帯機から照会情報を受信する第２受信手段を備え、
前記複合化手段は、前記第２受信手段で受信した前記照会情報および前記問合情報に対応した前記暗号情報に基づいて前記メイン情報を複合化することを特徴とする携帯機。
【請求項４】
請求項２〜３のいずれかに記載の携帯機において、
前記複合化手段は、
前記問合情報、照会情報、及び、暗号情報を関連付けて記憶する情報管理機に、前記問合情報及び前記照会情報に関連する前記暗号情報を問い合わせる問合手段を備え、
この問合手段の問合せに応じた前記暗号情報に基づいて、前記情報抱持体から受信した前記メイン情報を複合化することを特徴とする携帯機。
【請求項５】
請求項１〜２のいずれかに記載の携帯機において、
他の携帯機から照会情報を受信する第２受信手段と
この照会情報に対応した前記暗号情報に基づいて、前記メイン情報を複合化可能な期間を制限する制限手段とを備え、
前記複合化手段は、前記問合情報、照会情報、及び、暗号情報を関連付けて記憶する情報管理機に、前記問合情報及び前記照会情報に関連する前記暗号情報を問い合わせる問合手段を備え、この問合手段の問合せに応じた前記暗号情報に基づいて、前記期間の間、前記情報抱持体から受信した前記メイン情報を複合化することを特徴とする携帯機。
【請求項６】
問合情報及び暗号化されたメイン情報を記憶する情報抱持体と、
この情報抱持体から前記問合情報及び前記メイン情報を無線で受信する受信手段、この受信手段で受信した前記問合情報に対応した前記暗号情報に基づいて前記メイン情報を複合化する複合化手段、この複合化手段において複合化された前記メイン情報に基づいて出力を行う出力手段を備える携帯機と
を備えることを特徴とする情報システム。
【請求項７】
請求項６記載の情報システムにおいて、
前記携帯機は、操作者の操作に基づいて照会情報を生成する生成手段を備え、前記複合化手段は、前記問合情報及び前記照会情報に対応した前記暗号情報に基づいて前記メイン情報を複合化することを特徴とする情報システム。
【請求項８】
請求項６，７のいずれかに記載の情報システムにおいて、
前記携帯機は、他の携帯機から照会情報を受信する第２受信手段を備え、前記複合化手段は、前記第２受信手段で受信した前記照会情報および前記問合情報に対応した前記暗号情報に基づいて前記メイン情報を複合化することを特徴とする情報システム。
【請求項９】
請求項７〜８のいずれかに記載の情報システムにおいて、
前記問合情報、照会情報、及び、暗号情報を関連付けて記憶する情報管理機を備え、
前記携帯機の複合化手段は、この情報管理機に、前記問合情報及び前記照会情報に関連する前記暗号情報を問い合わせる問合手段を備え、この問合手段の問合せに応じた前記暗号情報に基づいて、前記情報抱持体から受信した前記メイン情報を複合化することを特徴とする情報システム。
【請求項１０】
請求項６〜７のいずれかに記載の情報システムにおいて、
前記携帯機は、他の携帯機から照会情報を受信する第２受信手段と
この照会情報に対応した前記暗号情報に基づいて、前記メイン情報を複合化可能な期間を制限する制限手段とを備え、
前記複合化手段は、前記問合情報、照会情報、及び、暗号情報を関連付けて記憶する情報管理機に、前記問合情報及び前記照会情報に関連する前記暗号情報を問い合わせる問合手段を備え、この問合手段の問合せに応じた前記暗号情報に基づいて、前記期間の間、前記情報抱持体から受信した前記メイン情報を複合化することを特徴とする情報システム。
【請求項１１】
請求項６〜１０のいずれかに記載の情報システムにおいて、
前記情報抱持体に前記メイン情報を書き込む情報生成機を備えることを特徴とする情報システム。
【請求項１２】
請求項１１記載の情報システムにおいて、
前記情報生成機は、前記メイン情報を暗号化して前記情報抱持体に書き込むことを特徴とする情報システム。
【請求項１３】
請求項１２に記載の情報システムにおいて、
前記情報生成機は、照会情報を入力する操作を受け付ける入力手段を備え、この入力手段で入力された前記照会情報と、前記メイン情報を暗号化する際の暗号情報と、前記情報抱持体から読み込んだ前記問合情報とを関連付けて、前記情報管理機に送信し、
前記情報管理機は、前記入力情報と前記照会情報と前記暗号情報とを関連付けて記憶する情報システム。
【請求項１４】
請求項１１〜１３のいずれかに記載の情報システムにおいて、
前記情報生成機は、前記情報抱持体の表面に画像を形成する画像形成手段を備えることを特徴とする情報システム。
【発明の詳細な説明】
【技術分野】
【０００１】
本発明は、携帯機及びこの携帯機を用いた情報システムに関する。
【背景技術】
【０００２】
従来より、中高生を中心に、プリクラ（商標名）と呼ばれる写真付きシールの交換がブームとなり、現在もそのブームは衰えることがない。このブームを支えているのが、写真付きシールの製造装置で、現在でもゲームセンター、ボーリング場、カラオケボックス等、多くの場所に設置されている。
【０００３】
なお、写真付きシール製造装置については、周知であるので、特に調査は行っていない。
【発明の開示】
【発明が解決しようとする課題】
【０００４】
しかし、従来の写真付きシールは、画像だけが記録されているものなので、記録が一面的であるという問題があった。
そのため、写真付きシールにＲＦＩＣ等の記憶素子を埋め込み、その記憶素子にその写真付きシールを撮影するときの音声や、撮影時の様子を記録した動画を記録すると、記録が多様化して趣向性が向上すると思われる。
【０００５】
しかし、写真付きシールの場合、そのような情報をそのまま記録すると、プライバシーが侵害される問題があった。
そこで本発明では、プライバシーを守りつつ動画等のメイン情報を記録した情報抱持体（写真付きシール等）から、その情報を読み取り可能な携帯機、及び、この携帯機を利用した情報システムを提供することを目的とする。
【課題を解決するための手段】
【０００６】
上述した問題を解決するためになされた発明である請求項１記載の携帯機は、問合情報及び暗号化されたメイン情報を記憶する情報抱持体から前記問合情報及び前記メイン情報を無線で受信する受信手段と、この受信手段で受信した前記問合情報に対応した前記暗号情報に基づいて前記メイン情報を複合化する複合化手段と、この複合化手段において複合化された前記メイン情報に基づいて出力を行う出力手段とを備えることを特徴とする。
【０００７】
この携帯機は、情報抱持体に記憶された暗号化されたメイン情報を、問合情報とともに受信し、問合情報に対応した暗号情報に基づいてそのメイン情報を複合化し出力している。そのため、この携帯機が、問合情報に対応した暗号情報を有しない場合、メイン情報を出力することはできない。しかしこの携帯機が、問合情報に対応する暗号情報を有する場合、そのメイン情報は適式に複合化されて、そのメイン情報を出力することができる。一方、情報抱持体にはメイン情報を複合化するための情報も記憶されていないので、メイン情報が不正に解読される恐れもない。
【０００８】
従って、この携帯機を用いると、情報抱持体に記録されたメイン情報のプライバシーを守りつつメイン情報を記録した情報抱持体（写真付きシール等）から、その情報を読み取って出力することができる。
【０００９】
尚、携帯機とは、携帯電話、ＰＤＳ、ノートパソコンその他の携帯可能な機器のことである。
プライバシー性を高めるためには、次のような方法が考えられる。
【００１０】
請求項２に記載したように、操作者の操作に基づいて照会情報を生成する生成手段を備え、複合化手段は、問合情報及び照会情報に対応した暗号情報に基づいてメイン情報を複合化するようにしてもよい。このようにすれば、操作者が照会情報を知らなければメイン情報が携帯機から出力されないため、プライバシー性をより高めることができる。
【００１１】
一方、情報抱持体を交換したとき、交換相手の携帯機でもプライバシーを維持しつつメイン情報を出力するには次のような方法が考えられる。
この方法とは、請求項３に記載したように、携帯機が、他の携帯機から照会情報を受信する第２受信手段を備え、複合化手段が、この第２受信手段で受信した照会情報及び問合情報に対応した暗号情報に基づいてメイン情報を複合化するというものである。このようにすると、この携帯機は、第２受信手段で照会情報を受信しておけばメイン情報を出力できるので、情報抱持体を交換した相手に照会情報を知らせることなく、相手の携帯機でプライバシーを保ちつつメイン情報を出力させることができる。
【００１２】
次に暗号情報については、請求項４に記載したように、複合化手段が、問合情報、照会情報、及び、暗号情報を関連付けて記憶する情報管理機に、問合情報及び照会情報に関連する暗号情報を問い合わせる問合手段を備え、この問合手段の問い合わせに応じた暗号情報に基づいて、情報抱持体から受信したメイン情報を複合化するようにしてもよい。このようにすれば、暗号情報ですら情報管理機に問い合わせないと携帯機ではメイン情報を複合化、そして出力することができないので、プライバシーをより高めることができる。
【００１３】
請求項５記載の携帯機は、他の携帯機から照会情報を受信する第２受信手段と、この照会情報に対応した前記暗号情報に基づいて、前記メイン情報を複合化可能な期間を制限する制限手段とを備え、前記複合化手段は、前記問合情報、照会情報、及び、暗号情報を関連付けて記憶する情報管理機に、前記問合情報及び前記照会情報に関連する前記暗号情報を問い合わせる問合手段を備え、この問合手段の問合せに応じた前記暗号情報に基づいて、前記期間の間、前記情報抱持体から受信した前記メイン情報を複合化することを特徴とする。この携帯機では、第２受信手段を用いて他の携帯機から照会情報を受信し、その照会情報に基づいた暗号情報を用いてメイン情報を複合化する場合は、制限手段により、メイン情報を複合化可能な期間を制限している。このようにすれば、他人にいつまでも動画情報を見られる恐れがないので、動画情報がプライバシーに関わるものなら、そのプライバシーを一定期間経過後は、他人には知られないようにすることができる。
【００１４】
ところで上述した請求項１に記載の携帯機を利用する場合、請求項６に記載したような情報システムを構築するとよい。請求項６に記載の情報システムは、問合情報及び暗号化されたメイン情報を記憶する情報抱持体と、この情報抱持体から問合情報及びメイン情報を無線で受信する受信手段、この受信手段で受信した問合情報に対応した暗号情報に基づいてメイン情報を複合化する複合化手段、この複合化手段において複合化されたメイン情報に基づいて出力を行う出力手段を備える携帯機とを備えることを特徴とする。この情報システムを用いれば、請求項１に記載した携帯機を用いることで、情報抱持体に記録されたメイン情報のプライバシーを守りつつ動画等のメイン情報を記録した情報抱持体（写真付きシール等）から、その情報を読み取ることができる。
【００１５】
請求項７に記載したように、上述した請求項２に記載の携帯機を利用する場合、情報システムは、携帯機は、操作者の操作に基づいて照会情報を生成する生成手段を備え、複合化手段は、問合情報及び照会情報に対応した暗号情報に基づいてメイン情報を複合化するとよい。このようにすれば、請求項２に記載した携帯機を用いても、操作者が照会情報を知らなければメイン情報が携帯機から出力されないため、プライバシー性をより高めることができる。
【００１６】
請求項８に記載したように、上述した請求項３に記載の携帯機を利用する場合、情報システムは、携帯機が、他の携帯機から照会情報を受信する第２受信手段を備え、複合化手段は、問合情報及び照会情報に対応した暗号情報に基づいてメイン情報を複合化するとよい。このようにすれば、請求項３に記載した携帯機を用いても、この携帯機は、第２受信手段で照会情報を受信すればメイン情報を出力できるので、情報抱持体を交換した相手に照会情報を知らせることなく、相手の携帯機でプライバシーを保ちつつメイン情報を出力させることができる。
【００１７】
請求項９に記載したように、上述した請求項４に記載の携帯機を利用する場合、情報システムは、携帯機が、問合情報、照会情報、及び、暗号情報を関連付けて記憶する情報管理機を備え、携帯機の複合化手段は、この情報管理機に、問合情報及び照会情報に関連する暗号情報を問い合わせる問合手段を備え、この問合手段の問合せに応じた暗号情報に基づいて、情報抱持体から受信したメイン情報を複合化するとよい。このようにすれば、請求項４に記載した携帯機を用いても、暗号情報ですら情報管理機に問い合わせないと携帯機ではメイン情報を複合化、そして出力することができないので、プライバシーをより高めることができる。
【００１８】
請求項１０に記載したように、上述した請求項５に記載の携帯機を利用する場合、前記携帯機は、他の携帯機から照会情報を受信する第２受信手段と、この照会情報に対応した前記暗号情報に基づいて、前記メイン情報を複合化可能な期間を制限する制限手段とを備え、前記複合化手段は、前記問合情報、照会情報、及び、暗号情報を関連付けて記憶する情報管理機に、前記問合情報及び前記照会情報に関連する前記暗号情報を問い合わせる問合手段を備え、この問合手段の問合せに応じた前記暗号情報に基づいて、前記期間の間、前記情報抱持体から受信した前記メイン情報を複合化するとよい。この情報システムでは、第２受信手段を用いて他の携帯機から照会情報を受信し、その照会情報に基づいた暗号情報を用いてメイン情報を複合化する場合は、制限手段により、メイン情報を複合化可能な期間を制限している。このようにすれば、他人にいつまでも動画情報を見られる恐れがないので、動画情報がプライバシーに関わるものなら、そのプライバシーを一定期間経過後は、他人には知られないようにすることができる。
【００１９】
請求項１１に記載したように、請求項６〜１０に記載の情報システムは、情報抱持体にメイン情報を書き込む情報生成機を組み込んでもよい。そして、プライバシーの点からメイン情報がそのまま情報抱持体に記憶されるのは好ましくないので、請求項１２に記載したように、情報生成機は、メイン情報を暗号化して情報抱持体に書き込むことが好ましい。
【００２０】
請求項１３に記載したように、情報生成機は、照会情報を入力する操作を受け付ける入力手段を備え、この入力手段で入力された照会情報と、メイン情報を暗号化する際の暗号情報と、情報抱持体から読み込んだ問合情報とを関連付けて、情報管理機に送信し、情報管理機は、入力情報と照会情報と暗号情報とを関連付けて記憶するようにしてもよい。情報生成機と前記情報入力機とが通信可能に接続されていれば、情報システムをこのように構築してもよい。さらに請求項１４に記載したように、情報生成機は、情報抱持体の表面に画像を形成する画像形成手段を備えていてもよいことはもちろんである。
【発明を実施するための最良の形態】
【００２１】
以下、本発明を実施するための最良の形態について図面を用いて説明する。
ここで図１は、本実施形態の全体構造を示した模式図である。図２は、携帯電話のブロック図である。図３は、シールの正面図と断面図である。図４は情報管理機のブロック図である。図５は情報入力機のブロック図である。
【００２２】
本実施形態の情報システムは、図１に示すように、携帯電話１、写真付きシール３（以下単にシール３という）、センターコンピュータ５（以下情報管理機５という）、情報入力機７を備えており、情報入力機７でシール３にメイン情報を入力し、その入力したメイン情報を携帯電話１で安全に出力し、そしてこの安全な出力を情報管理機５で管理するシステムである。この情報システムを構成する各装置のうち、携帯電話１、情報管理機５、情報入力機７は携帯電話回線網を含む一般公衆回線網９を介して、互いに通信可能に接続され、携帯電話１、シール３は、無線により通信可能に構成されている。
【００２３】
携帯電話１は、図２に示すように、中央制御装置１０、操作装置１２、電話装置１４、モニタ１６、リーダ１８、スピーカ２０、メモリ２２、その他の装置２９を備え、中央制御装置１０と各装置１２〜２９は通信可能に接続されている。
【００２４】
中央制御装置１０は、ＣＰＵ、ＲＯＭ、ＲＡＭ１０ａを備える一般的なコンピュータ装置であり、この携帯電話１に備えられた各装置１０〜２９と連携して、上述した情報システムや、携帯電話機能を実行するための各種処理を実行する。
【００２５】
操作装置１２は、携帯電話１の筐体の表面に設置された複数の押しボタンスイッチ等１２ａを備えた装置であり（図１参照）、操作者の指令を入力する装置である。電話装置１４は、一般公衆回線網９と携帯電話１とを無線で通信可能に接続する通信装置である。携帯電話１は、この電話装置１４を用いることで、一般公衆回線網９に接続された他の装置と通信することができる。モニタ１６は、液晶製の画像形成装置で、携帯電話１の筐体の表面であって、押しボタンスイッチ等１２ａの上方に配置されている。リーダ１８は、シール３の後述するＩＣタグに記憶された各種情報を読み取る読取装置である。スピーカ２０は、音声を出力する装置である。メモリ２２は、フラッシュメモリからなり、データの記憶・消去が可能な装置である。このメモリ２２は、本実施形態ではＩＰアドレスと、暗号情報とをそれぞれ関連付けて記憶する装置として用いられる。その他の装置２９としては、本実施形態では、携帯電話１の携帯電話としての機能等を実行するための各種装置が、この携帯電話１には備えられている。
【００２６】
次に、シール３は、図３（ａ）に示すように、写真用のプリント用紙３０と、図３（ｂ）に示すように、プリント用紙３０の裏面に接着剤３２が積層されたものである。このうち、プリント用紙３０内には、ＲＦＩＤ（Ｒａｄｉｏ  Ｆｒｅｑｕｅｎｃｙ  Ｉｄｅｎｔｉｆｉｃａｔｉｏｎ）技術を利用したタグであって、図示しないＩＣチップとアンテナとが組み合わされたＩＣタグ３４が埋め込まれている。このＩＣタグ３４のＩＣチップは、様々な情報を記憶することができるが、本実施形態では、このＩＣタグ３４に固有のＩＰアドレスの他に、情報入力機７で作製されたメイン情報を記憶する装置として用いられる。そしてこのＩＰアドレスとメイン情報は、本実施形態では、携帯電話１がＩＣタグ３４に記憶された情報を読み取ることができるリーダ１８を備えているので、携帯電話１側でこれらの情報が読み取られる。
【００２７】
次に、情報管理機５は、図４に示すように、中央制御装置５０、操作装置５２、通信装置５４、モニタ５６、記憶装置５８、その他の装置６９を備え、中央制御装置５０と各装置５２〜６９は通信可能に接続されている。
【００２８】
中央制御装置５０は、ＣＰＵ、ＲＯＭ、ＲＡＭを備える一般的なコンピュータ装置で、上述した情報システムや、コンピュータの各種機能を実行するための各種処理を実行する。操作装置５２は、キーボード、マウス等からなる装置であり、操作者の指令を入力する装置である。通信装置５４は、一般公衆回線網９と情報管理機５とを通信可能に接続する通信装置である。情報管理機５は、この通信装置５４を介することで、一般公衆回線網９に接続された他の装置と通信することができる。モニタ５６は、ＣＲＴその他の画像形成装置である。記憶装置５８は、ハードディスクからなり、データの記憶・消去が可能な装置である。本実施形態ではＩＰアドレス、照会情報、暗号情報をそれぞれ関連付けて記憶する装置として用いられる。その他の装置６９は、情報管理機５のその他の機能を実行するための各種装置である。
【００２９】
次に、情報入力機７は、中央制御装置７０、操作装置７２、通信装置７４、モニタ７６、カメラ７８、マイク８０、スピーカ８２、フラッシュ装置８４、プリンタ８６、書込装置８７、記憶装置８８、その他の装置８９とを備えている。
【００３０】
中央制御装置７０は、ＣＰＵ、ＲＯＭ、ＲＡＭ７０ａを備える一般的なコンピュータ装置で、上述した情報システムや、情報入力機７の各種機能に関する各種処理を実行する。操作装置７２は、情報入力機７の筐体の表面に設置された複数の押しボタンスイッチ等７２ａからなる装置であり（図１参照）、操作者の指令を入力する装置である。
【００３１】
通信装置７４は、一般公衆回線網９と情報入力機７とを無線で通信可能に接続する通信装置である。情報入力機７は、この通信装置７４を介することで、一般公衆回線網９に接続された他の装置と通信することができる。モニタ７６は、情報入力機７の筐体の表面であってボタンスイッチ７２ａの上側に配置された液晶製の画像形成装置である。カメラ７８は、情報入力機７のモニタ７６の上側に配置されており、情報入力機７の正面に立った人物等を撮影することができるよう配置されている。マイク８０は、音声を入力する装置である。スピーカ８２は、音声を出力する装置である。フラッシュ装置８４は、情報入力機の頂部に設置され、撮影時にフラッシュ光を放つ装置である。プリンタ８６は、シール３の表面に画像を印刷する印刷装置である。書込装置８７は、シール３のＩＣタグにメイン情報を入力する装置である。記憶装置８８は、ハードディスクからなり、データの記憶・消去が可能な装置である。その他の装置８９は、情報入力機７のその他の機能を実行するための各種装置である。
【００３２】
次に、以上のように構成された各装置を用いて実行される、本実施形態の情報システムの各種処理について説明する。
ここで、図６は、本実施形態の情報システムで実行される処理のうち、主に、情報入力機７においてメイン情報をシール３に書き込む書込処理についてのタイムチャートである。図７は、本実施形態の情報システムで実行される処理のうち、主に、携帯電話１においてシール３に書き込まれたメイン情報を読み込んで出力する読込処理についてのタイムチャートである。
【００３３】
書込処理は、情報入力機７の図示しない硬貨投入口に所定の金額の硬貨が投入されたらスタートする（Ｓ１０）。この読込処理がスタートすると、次に、情報入力機７では、シール３に印刷する静止画と、シール３に記憶する動画を撮影する２つの処理（Ｓ１２）が実行される。
【００３４】
静止画を撮影する処理では、シール３に印刷するための静止画を撮影・決定する処理を実行する。具体的には、操作装置７２、カメラ７８、フラッシュ装置８４を用いて撮影した複数の画像をモニタ７６に表示したり、操作者に操作装置７２を操作させ、その表示された複数の静止画の中から必要な静止画を選択させたり、静止画と共に表示するフレームを選択させたりする処理を実行する。尚、これらの処理は一般的な処理なので、詳細については省略する。
【００３５】
一方、動画を撮影する処理では、シール３にメイン情報として入力する動画を撮影する処理を実行する。具体的には、例えば、カメラ７８、モニタ７６、マイク８０等を用いて、静止画の撮影を開始し終了するまでの様子を撮影する。尚、撮影する動画は、どのような動画でもよい。例えば、静止画を撮り終えた後、動作を撮影してもよい。この場合、操作者が操作装置１２を操作して、撮影開始と終了を操作者が指示すればよい。また、動画に変えて、音声だけを録音してもよい。あるいは、音声および動画を別々に録音、録画してもよい。尚、撮影された静止画および動画は、ともに記憶装置８８に一旦記憶される。
【００３６】
この撮影処理（Ｓ１２）が終了すると、中央制御装置７０は、次に、照会情報を入力させる照会情報入力処理（Ｓ１４）を実行する。
この照会情報入力処理（Ｓ１４）では、中央制御装置７０は、操作者に照会情報を作製するための暗証番号を入力させる処理を実行する。具体的には、中央制御装置７０がモニタ７６に暗証番号を入力するよう催促する画像を表示する。そして、この表示に従って操作者が操作装置７２を操作して暗証番号を入力し、暗証番号を決定する操作をしたら、中央制御装置７０は、この暗証番号に関する情報を照会情報として中央制御装置７０のＲＡＭ７０ａに一時的に記憶する。また中央制御装置７０は、この暗証番号に基づいて、動画を暗号化するための暗号情報を作製して（作製方法は任意）、中央制御装置７０のＲＡＭ７０ａに一時的に記憶し、次に、静止画像を写真付きシールに印刷する印刷処理（Ｓ１６）を実行する
この印刷処理（Ｓ１６）では、中央制御装置７０は、記憶装置８８に記憶された静止画に基づいて、プリンタ８６を制御してシール３の表面に写真を現像する処理を実行する。そして、中央制御装置７０はこの印刷処理（Ｓ１６）と並行して、Ｓ１４でＲＡＭ７０ａに記憶された暗号化情報を用いて、記憶装置８８に記憶された動画情報を暗号化する処理を実行する（Ｓ１８）。そしてこのＳ１８の処理で動画が暗号化されたら、中央制御装置７０は、書込装置８７を制御して、シール３のＩＣタグ３４に動画情報を記憶させる処理（Ｓ２８）を実行する。この動画情報が、前述したメイン情報である。
【００３７】
次に、ＩＰアドレス送信命令処理（Ｓ２２）を実行する。このＩＰアドレス送信命令処理（Ｓ２２）では、中央制御装置７０が書込装置８７を制御して、シール３のＩＣタグ３４に、ＩＰアドレスを読み取るための信号を送信する。すると、ＩＣタグ３４からＩＰアドレスに関する情報が情報入力機７側に送信されるので（Ｓ２４）、これを書込装置８７で受信し、このＩＰアドレスを照会情報、暗号情報に関連付けてＲＡＭ７０ａに記憶する（Ｓ２６）。尚、このとき、情報入力機７では、複数のシール３が一枚のシートになっていることが多いので、本実施形態では、これら各シール３のＩＰアドレスを一括して照会情報、暗号情報に関連付けて記憶してもいいし、各ＩＰアドレスに照会情報、暗号情報を関連付けて記憶してもよい。
【００３８】
そして、ＩＰアドレスの記憶が終了したら、中央制御装置７０は、それぞれ関連付けられたＩＰアドレス、照会情報、暗号情報をセンターの情報管理機５に送信する処理を実行し（Ｓ２８）、このＳ２８の処理で送信され、記憶装置８８に記憶されている各情報を消去する。
【００３９】
この処理（Ｓ２８）が実行されると、センターの情報管理機５の中央制御装置５０は、ＩＰアドレス、照会情報、暗号情報をそれぞれ関連づけて、記憶装置５８に記憶する処理を実行する（Ｓ３０）。一方、情報入力機７では、シール３を取り出し口８７ａから排出し、受取ボックス８７ｂに投入する処理を実行する（Ｓ３２）。
【００４０】
次に、携帯電話１を用いてシール３のＩＣタグ３４に記憶された動画データを読み取って出力する読取処理について説明する。
この読取処理は、リーダ１８がシール３のＩＣタグ３４と通信範囲内に位置するようになり、メイン情報の出力を指示する操作が操作装置１２に対してなされたら開始される（Ｓ５０）。
【００４１】
この読取処理を開始すると、中央制御装置１０は、シール３のＩＣタグ３４に記憶されたＩＰアドレスを読み取るため、リーダ１８を制御して、ＩＰアドレスを問い合せる信号をシール３に送信する処理を実行する（Ｓ５２）。すると、シール３からは、ＩＰアドレスが返信されるので（Ｓ５４）、中央制御装置１０は、このＩＰアドレスに関連づけられた暗号情報がメモリ２２に記憶されているか否かを判定する処理を実行する（Ｓ５６）。
【００４２】
この処理（Ｓ５６）で、これらの情報が関連付けられた情報がメモリ２２に記憶されていると判定された場合（Ｓ５６：ＹＥＳ）、中央制御装置１０は、シール３にメイン情報を送信するよう指令する信号を送信する（Ｓ５８）。すると、シール３からＩＣタグ３４内に記憶されたメイン情報が携帯電話１のリーダ１８で受信されるので（Ｓ６０）、中央制御装置１０は、このリーダ１８で受信したメイン情報を、メモリ２２に記憶された暗号情報で複合化し、その複合化したメイン情報に基づいて動画をモニタ１６に表示し音声をスピーカ２０から出力する処理を行う（Ｓ６２）。
【００４３】
一方、Ｓ５６の処理で、ＩＰアドレスに関連付けられた暗号情報がメモリ２２に記憶されていないと判定された場合、中央制御装置１０は、モニタ１６に照会情報を入力するよう指示する画像を表示する処理を実行する（Ｓ７０）。この照会情報は、前述した書込処理（図６参照）のＳ１４において、情報入力機７に対して入力された暗証番号である。このＳ７０の処理が実行されると、操作者が操作装置１２を操作して照会情報を入力するので、この照会情報が入力されたら、中央制御装置１０は、Ｓ５２での問い合わせに応じて受信したＩＰアドレスと共に、この照会情報を情報管理機５に送信する処理を実行する。
【００４４】
すると、センターの情報管理機５の中央制御装置５０は、受信したＩＰアドレス、照会情報の両方に関連付けられた暗号情報が、記憶装置６０に記憶されているか検索し（Ｓ７６）、対応する暗号情報を携帯電話１に返信する処理を実行する（Ｓ７８）。尚、対応する情報がない場合は、対応する情報がない旨送信し、携帯電話１の中央制御装置１０は、照会番号を再び入力するよう指示する処理（Ｓ７０）を実行してもよい。
【００４５】
携帯電話１が暗号情報を受信したら、暗号情報をＩＰアドレスに関連付けて、メモリ２２に記憶する処理を実行する（Ｓ８０）。この処理（Ｓ８０）が実行されると、次に、携帯電話１がＩＰアドレスを同じシール３から受信したときに、Ｓ５６の処理で肯定判定され、センターの情報管理機５に問い合せる必要がなくなり、すばやく動画情報を出力することができるようになる。
【００４６】
そして、このＳ８０の処理が実行されたら、前述したＳ５８からＳ６２の処理が中央制御装置１０において実行され、携帯電話１において、シール３に記憶されたメイン情報に基づく動画が出力される。
【００４７】
以上説明した本実施形態の情報システムにおいては次のような作用・効果がある。
本実施形態で用いられる携帯電話１は、シール３に記憶された暗号化されたメイン情報を、ＩＰアドレスとともに受信し、問合情報に対応した暗号情報に基づいてそのメイン情報を複合化し出力している。そのため、この携帯電話１が、ＩＰアドレスに対応した暗号情報を有しない場合、動画情報を出力することはできない。しかしこの携帯電話１が、ＩＰアドレスに対応する暗号情報を有する場合、そのメイン情報は適式に複合化されて、その動画情報を出力することができる。一方、シール３にはメイン情報を複合化するための情報も記憶されていないので、動画情報が不正に解読される恐れもない。
【００４８】
従って、この携帯電話１を用いると、シール３に記録されたメイン情報のプライバシーを守りつつ動画情報を記録したシール３から、その情報を読み取ることができる。
次に、本実施形態で用いられる携帯電話１は、操作者の操作に基づいて照会情報を生成し（Ｓ７２）、Ｓ６２の処理では、ＩＰアドレス及び照会情報に対応した暗号情報に基づいて動画情報を複合化している。そのため、照会情報を知られなければ動画情報が携帯電話１から出力されないため、プライバシー性をより高めることができる。
【００４９】
次に、本実施形態では、暗号情報については、ＩＰアドレス、照会情報を関連付けて記憶する情報管理機５に暗号情報を問い合わせ、この問合せに応じた暗号情報に基づいて、シール３から受信した動画情報を複合化している。そのため、暗号情報ですら携帯電話１とは別体の情報管理機５に問合せないと携帯電話１では動画情報を複合化、そして出力することができないので、プライバシーをより高めることができる。
【００５０】
尚、本実施形態の携帯電話１は、本発明の携帯機に相当し、電話装置１４及びＳ５２、Ｓ５４、Ｓ５８、Ｓ６０の処理を実行する中央制御装置１０は、本発明の受信手段に相当し、Ｓ６２の処理を実行する中央制御装置１０は、本発明の複合化手段に相当し、Ｓ６２の処理を実行する中央制御装置１０、モニタ１６、スピーカ２０は、本発明の出力手段に相当する。Ｓ７２の処理を実行する中央制御装置１０は、本発明の生成手段に相当し、Ｓ７４の処理を実行する中央制御装置１０は、本発明の問合手段に相当する。
【００５１】
以上本発明の実施形態ついて説明したが、本発明はこの実施形態に何等限定されるものではなく、本発明の要旨を逸脱しない範囲において、種々なる態様で実施し得ることは勿論である。
【００５２】
例えば、上記実施形態では、メイン情報だけを携帯電話１で出力していたが（Ｓ６２）、動画を出力する前などに、シール３に印刷されている画像をモニターに表示するようにしてもよい。このようにすると、複数のシール３がある場合、いずれのシール３の動画情報を出力しようとしているのかその静止画によって確認でき、動画情報の読み間違いを防止できるからである。この場合、ＩＣタグ３４に静止画に関する情報も入力しておき、携帯電話１側で、動画の入力とともに入力すればよい。
【００５３】
また、静止画は、照会情報を入力するよう操作者に促すＳ７０の処理の際に表示してもよい。このようにすれば、Ｓ７２以下の間違った照会情報についての暗証番号を検索する無駄な処理を防止できるからである。
【００５４】
さらに、静止画は、メイン情報の送信を要求する処理（Ｓ５８）の前にモニターに表示するようにしてもよい。このようにすれば、Ｓ６０以下の間違った照会情報についての暗証番号を検索する無駄な処理を防止できるからである。
【００５５】
次に、上記実施形態では、メイン情報として動画を用いたが、動画に代えて、音楽や音声を出力したり、複数の静止画をモニタに出力してもよい。
次に、上記実施形態の携帯電話１では、Ｓ７０及びＳ７２で照会情報を操作者に入力させる処理をしているが、この携帯電話１の所有者とシール３の作製者とが異なる場合、シール３の作製者の携帯電話等から照会情報を受信し、その受信した照会情報及びＩＰアドレスに対応した暗号情報を照会するようにしてもよい。このようにすれば、他人に照会情報を知られることなく、他人の携帯電話で動画を出力させることができる。また、照会情報を他の携帯電話等から受信して、その照会情報で暗号情報を問い合せたときは、携帯電話１に暗号情報を一定期間だけ記憶するようにしてもよい。このように構成すれば、他人にいつまでも動画情報を見られる恐れがないので、動画情報がプライバシーに関わるものなら、そのプライバシーを一定期間経過後は、他人には知られないようにすることができる。尚、このように他の携帯電話等から照会情報を受信する処理を実行する中央制御装置１０及び電話装置１４は、本発明の第２受信手段に相当する。また、照会情報を他の携帯電話等から受信して、その照会情報で暗号情報を問い合せたとき、携帯電話１に暗号情報を一定期間だけ記憶する構成は、メイン情報を複合化可能な期間を制限する本発明の制限手段に相当する。
【００５６】
次に、上記実施形態では、暗号情報は暗唱番号のような個人情報で作成したが、個人情報によらず、任意の方法で作製してもよいことはもちろんである。
【図面の簡単な説明】
【００５７】
【図１】本実施形態の全体構造を示した模式図である。
【図２】携帯電話のブロック図である。
【図３】シールの正面図と断面図である。
【図４】情報管理装置のブロック図である。
【図５】情報入力装置のブロック図である。
【図６】本実施形態の情報システムで実行される処理のうち、主に、情報入力機７においてメイン情報をシール３に書き込む書込処理についてのタイムチャートである。
【図７】本実施形態の情報システムで実行される処理のうち、主に、携帯電話１においてシール３に書き込まれたメイン情報を読み込んで出力する読込処理についてのタイムチャートである。
【符号の説明】
【００５８】
１…携帯電話、３…シール、５…情報管理機、７…情報入力機、９…一般公衆回線網、１０…中央制御装置、１２…操作装置、１２ａ…押しボタンスイッチ等、１４…電話装置、１６…モニタ、１８…リーダ、２０…スピーカ、２２…メモリ、３０…プリント用紙、３２…接着剤、３４…ＩＣタグ、５０…中央制御装置、５２…操作装置、５４…通信装置、５６…モニタ、５８…記憶装置、６０…記憶装置、７０…中央制御装置、７２…操作装置、７２ａ…ボタンスイッチ、７２ａ…押しボタンスイッチ等、７４…通信装置、７６…モニタ、７８…カメラ、８０…マイク、８２…スピーカ、８４…フラッシュ装置、８６…プリンタ、８７…書込装置、８７ａ…取り出し口、８７ｂ…受取ボックス、８８…記憶装置
【図１】
2006279265.tif 000003
【図２】
2006279265.tif 000004
【図３】
2006279265.tif 000005
【図４】
2006279265.tif 000006
【図５】
2006279265.tif 000007
【図６】
2006279265.tif 000008
【図７】
2006279265.tif 000009